【手続補正書】
【提出日】平成29年6月28日(2017.6.28)
【手続補正１】
【補正対象書類名】明細書
【補正対象項目名】００９４
【補正方法】変更
【補正の内容】
【００９４】
使用例Ｇ
水２０００部と；
エトキシ化アミノプロピル脂肪酸アミドを主成分として含み、かつ染料との親和性を有する弱カチオン活性レベリング剤１部と；
例１ｅの染料０．３部と；
国際公開第２００７／１１５９６０号の例２による赤色染料０．３部と；
国際公開第２０１３／０５６８３８号の例１による赤色染料０．３部と；
を含み、かつ１〜２部の４０％酢酸でｐＨ５．５へ調整された４０℃の染浴へ、１００部のナイロン−６，６織物を入れる。４０℃で１０分後、染浴を１．５℃／分の速度で１２０℃へ加熱し、次に１２０℃で１５〜２５分間保持する。その後、２５分間に亘って７０℃へ冷却する。染色物を洗浴から出し、温水で濯ぎ、次いで冷水で濯いで、乾燥させる。得られた生成物は、良好な均染度、良好な光及び湿潤／洗浄堅牢度、並びに良好なビルドアップ挙動を有するオリーブ色のポリアミド染色物である。本発明の実施態様の一部を以下の項目［１］−［１５］に記載する。
［１］
一般式（Ｉ）の化合物：
【化２５】
2017512227.tif 000001
｛式中、
Ｒ１は、水素、無置換若しくは置換の直鎖若しくは分岐鎖Ｃ１−１２アルキル、無置換若しくは置換の直鎖若しくは分岐鎖Ｃ１−１２アルコキシ、無置換若しくは置換アリール又はハロゲンであり、
Ｒ２は、水素、又は無置換若しくは置換の直鎖若しくは分岐鎖Ｃ１−１２アルキルであり、
Ｒ３は、無置換若しくは置換の直鎖若しくは分岐鎖Ｃ１−１２アルキル、無置換若しくは置換の直鎖若しくは分岐鎖Ｃ１−１２アルコキシ、無置換若しくは置換アリール又はＮＲ８Ｒ９であり、
Ｒ４及びＲ５は、無置換若しくは置換の直鎖若しくは分岐鎖Ｃ１−１２アルキル、無置換若しくは置換の直鎖若しくは分岐鎖Ｃ１−１２アルケニル、無置換若しくは置換の直鎖若しくは分岐鎖Ｃ１−１２アルコキシ、無置換若しくは置換アリール、
【化２６】
2017512227.tif 000002
又は
【化２７】
2017512227.tif 000003
であり、
Ｒ６は、水素、無置換若しくは置換の直鎖若しくは分岐鎖Ｃ１−１２アルキル、又は無置換若しくは置換の直鎖若しくは分岐鎖Ｃ１−１２アルコキシであり、
Ｒ７は、水素、又は無置換若しくは置換の直鎖若しくは分岐鎖Ｃ１−１２アルキルであり、かつ
Ｒ８及びＲ９は、独立に水素又はＲ４及びＲ５として定義される。｝。
［２］
前記置換アルキル、アルケニル、アルコキシ及びアリール基の置換基が、独立に、ハロゲン、−ＯＨ、−ＣＯＯＨ、−ＣＮ、−ＳＯ３Ｈ、アリール、アリールオキシ、−Ｏ（Ｃ１−４アルキル）、−Ｏ（Ｃ１−４アルコキシ）、−ＣＯ−Ｏ−Ｃ１−４アルキル、−Ｏ−ＣＯ−Ｃ１−４アルキル、−Ｏ−ＣＯ−アリール、−ＣＯ−（Ｏ−ＣＨ２−ＣＨ２）ｎ−Ｏ−Ｃ１−４アルキル｛式中、ｎは１〜１０である。｝、Ｃ１−４アルケニル、Ｃ１−４アルキニル、及び−ＮＲｘＲｙ｛式中、Ｒｘ及びＲｙは、独立に水素又はＣ１−４アルキルである。｝から成る群から選択される、項目１に記載の化合物。
［３］
複数の−ＳＯ３Ｈ基は、それぞれ複数のアゾ基に対してオルト位である、項目１又は２に記載の化合物。
［４］
Ｒ１は、水素、無置換若しくは置換の直鎖若しくは分岐鎖Ｃ１−６アルキル、無置換若しくは置換の直鎖若しくは分岐鎖Ｃ１−６アルコキシ又はハロゲンであり、
Ｒ２は、水素、又は無置換若しくは置換の直鎖若しくは分岐鎖Ｃ１−１２アルキルであり、
Ｒ３は、無置換若しくは置換の直鎖若しくは分岐鎖Ｃ１−１２アルキル、無置換若しくは置換の直鎖若しくは分岐鎖Ｃ１−１２アルコキシ、無置換若しくは置換アリール又はＮＨ２であり、
Ｒ４及びＲ５は、無置換若しくは置換の直鎖若しくは分岐鎖Ｃ１−１２アルキル、無置換若しくは置換の直鎖若しくは分岐鎖Ｃ１−１２アルケニル、無置換若しくは置換の直鎖若しくは分岐鎖Ｃ１−１２アルコキシ、無置換若しくは置換アリール、
【化２８】
2017512227.tif 000004
又は
【化２９】
2017512227.tif 000005
であり、
Ｒ６は、水素、無置換若しくは置換の直鎖若しくは分岐鎖Ｃ１−６アルキル、又は無置換若しくは置換の直鎖若しくは分岐鎖Ｃ１−６アルコキシであり、
Ｒ７は、水素、又は無置換若しくは置換の直鎖若しくは分岐鎖Ｃ１−６アルキルである、
項目１〜３のいずれか１項に記載の化合物。
［５］
Ｒ１は、水素、−ＣＨ３、−Ｃｌ又は−ＯＣＨ３であり、
Ｒ２は、水素又は−ＣＨ３であり、
Ｒ３は、−ＣＨ３、−ＣＨ２ＣＨ３、−ＣＨ２ＣＨ２ＣＨ３、−Ｃ６Ｈ５、−Ｃ６Ｈ４ＣＨ３、−ＣＨ２ＣＨ２Ｃｌ、
−ＣＨ２ＯＣＨ３、−ＣＨ２ＯＣＨ２ＣＨ３、−ＣＨ２ＯＨ、−ＣＨ２ＯＣ６Ｈ５、−ＯＣＨ３、−ＯＣＨ２ＣＨ３、
−ＯＣＨ２ＣＨ２ＣＨ３、−ＯＣＨ２ＣＨ２ＯＣＨ２ＣＨ３、−ＯＣＨ２ＣＨ２ＣＨ２ＣＨ２ＣＨ３、
−ＯＣＨ２ＣＨ（ＣＨ２ＣＨ３）ＣＨ２ＣＨ２ＣＨ２ＣＨ３、−ＯＣ１０Ｈ２１、−ＯＣ１２Ｈ２５又はＮＨ２であり、
Ｒ４及びＲ５は、−ＣＨ３、−ＣＨ２ＣＨ３、−ＣＨ２Ｃ６Ｈ５、−ＣＨ２ＣＨ２ＣＨ３、−ＣＨ２ＣＨ２ＣＨ２ＣＨ３、
−ＣＨ２ＣＨ２ＣＨ２ＣＨ２ＣＨ３、−ＣＨ２ＣＨ２ＣＨ２ＣＨ２ＣＨ２ＣＨ２ＣＨ３、ＣＨ２ＣＨ２ＯＨ、
−ＣＨ２ＣＨ（ＯＨ）ＣＨ２ＣＨ３、−ＣＨ２ＣＨ＝ＣＨ２、−ＣＨ２ＣＨ２Ｃ≡Ｎ、
−ＣＨ２ＣＨ２ＣＯＯＣＨ２ＣＨ２ＯＣＨ３、−ＣＨ２ＣＨ２ＣＯＯＣＨ３、
−ＣＨ２ＣＨ２ＯＣＨ２ＣＨ２ＯＣＨ３、−ＣＨ２ＣＨ２ＯＣＯＣＨ２ＣＨ３、−ＣＨ２ＣＨ２ＯＣＯＣ６Ｈ５、
−ＣＨ２ＣＨ２ＯＣＯＣＨ３、−ＣＨ２ＣＯＯＣＨ３、−ＣＨ２ＣＨ２ＣＨ２ＣＨ２ＣＨ２ＣＨ２ＣＨ３、
【化３０】
2017512227.tif 000006
又は
【化３１】
2017512227.tif 000007
であり、
Ｒ６は、水素、−ＣＨ３、−ＣＨ２ＣＨ３、−ＣＨ２ＣＨ２ＯＨ、−ＯＣＨ３、−ＯＣＨ２ＣＨ３又は−ＯＣＨ２Ｃ６Ｈ５であり、かつ
Ｒ７は、水素、−ＣＨ３又は−ＣＨ２ＣＨ３である、
項目１〜４のいずれか１項に記載の化合物。
［６］
Ｒ１は、水素、−ＣＨ３、−Ｃｌ又は−ＯＣＨ３であり、
Ｒ２は、水素又は−ＣＨ３であり、
Ｒ３は、−ＣＨ３、−ＣＨ２ＣＨ３、−ＣＨ２ＣＨ２ＣＨ３、−Ｃ６Ｈ５、−Ｃ６Ｈ４ＣＨ３、−ＣＨ２ＣＨ２Ｃｌ、
−ＣＨ２ＯＣＨ３、−ＣＨ２ＯＣＨ２ＣＨ３、−ＣＨ２ＯＨ、−ＣＨ２ＯＣ６Ｈ５、−ＯＣＨ３、−ＯＣＨ２ＣＨ３、
−ＯＣＨ２ＣＨ２ＣＨ３、−ＯＣＨ２ＣＨ２ＯＣＨ２ＣＨ３、−ＯＣＨ２ＣＨ２ＣＨ２ＣＨ２ＣＨ３、
−ＯＣＨ２ＣＨ（ＣＨ２ＣＨ３）ＣＨ２ＣＨ２ＣＨ２ＣＨ３、−ＯＣ１０Ｈ２１、−ＯＣ１２Ｈ２５又はＮＨ２であり、
Ｒ４及びＲ５は、−ＣＨ３、−ＣＨ２ＣＨ３、−ＣＨ２Ｃ６Ｈ５、−ＣＨ２ＣＨ２ＣＨ３、−ＣＨ２ＣＨ２ＣＨ２ＣＨ３、
−ＣＨ２ＣＨ２ＣＨ２ＣＨ２ＣＨ３、−ＣＨ２ＣＨ２ＣＨ２ＣＨ２ＣＨ２ＣＨ２ＣＨ３、ＣＨ２ＣＨ２ＯＨ、
−ＣＨ２ＣＨ（ＯＨ）ＣＨ２ＣＨ３、−ＣＨ２ＣＨ＝ＣＨ２、−ＣＨ２ＣＨ２Ｃ≡Ｎ、
−ＣＨ２ＣＨ２ＣＯＯＣＨ２ＣＨ２ＯＣＨ３、−ＣＨ２ＣＨ２ＣＯＯＣＨ３、
−ＣＨ２ＣＨ２ＯＣＨ２ＣＨ２ＯＣＨ３、−ＣＨ２ＣＨ２ＯＣＯＣＨ２ＣＨ３、−ＣＨ２ＣＨ２ＯＣＯＣ６Ｈ５、
−ＣＨ２ＣＨ２ＯＣＯＣＨ３、−ＣＨ２ＣＯＯＣＨ３、−ＣＨ２ＣＨ２ＣＨ２ＣＨ２ＣＨ２ＣＨ２ＣＨ３、
【化３２】
2017512227.tif 000008
又は
【化３３】
2017512227.tif 000009
であり、
Ｒ６は、水素、−ＣＨ３、−ＣＨ２ＣＨ３、−ＣＨ２ＣＨ２ＯＨ、−ＯＣＨ３、−ＯＣＨ２ＣＨ３又は−ＯＣＨ２Ｃ６Ｈ５であり、かつ
Ｒ７は、水素である、
項目１〜５のいずれか１項に記載の化合物。
［７］
Ｒ１は、水素、−ＣＨ３、−Ｃｌ又は−ＯＣＨ３であり、
Ｒ２は、水素であり、
Ｒ３は、Ｃ１−３アルキル又は−ＮＨ２であり、
Ｒ４及びＲ５は、無置換若しくは置換の直鎖Ｃ２−６アルキル又はベンジルであり、
Ｒ６は、水素、−ＣＨ３、−ＣＨ２ＣＨ３、−ＣＨ２ＣＨ２ＯＨ、−ＯＣＨ３、−ＯＣＨ２ＣＨ３又は−ＯＣＨ２Ｃ６Ｈ５であり、かつ
Ｒ７は、水素である、
項目１〜６のいずれか１項に記載の化合物。
［８］
Ｒ１は、水素、−ＣＨ３又は−Ｃｌであり、
Ｒ２は、水素であり、
Ｒ３は、−ＣＨ３、−ＣＨ２ＣＨ３又は−ＮＨ２であり、
Ｒ４及びＲ５は、無置換若しくは置換の直鎖Ｃ２−６アルキル又はベンジルであり、かつ
Ｒ６及びＲ７は、水素である、
項目１〜７のいずれか１項に記載の化合物。
［９］
Ｒ１及びＲ２は、水素であり、
Ｒ３は、−ＣＨ３であり、
Ｒ４及びＲ５は、無置換若しくは置換の直鎖Ｃ２−６アルキル又はベンジルであり、かつ
Ｒ６及びＲ７は、水素である、
項目１〜８のいずれか１項に記載の化合物。
［１０］
前記化合物は、２種以上の異性体の混合物の形態で存在し、かつ下記立体化学構造：
・複数の−ＳＯ３Ｈ基は、それぞれ複数のアゾ基に対してオルト位であるか；又は
・複数の−ＳＯ３Ｈ基は、それぞれ複数のアゾ基に対してオルト位であり、かつ複数の−ＳＯ３Ｈ基は、それぞれＲ１に対してパラ位であるか；又は
・複数の−ＳＯ３Ｈ基は、それぞれ複数のアゾ基に対してオルト位であり、かつＣＨＲ７基は、複数のアゾ基に対してパラ位であるか；又は
・複数の−ＳＯ３Ｈ基は、それぞれ複数のアゾ基に対してオルト位であり、ＣＨＲ７基は、複数のアゾ基に対してパラ位であり、かつ複数の−ＳＯ３Ｈ基は、それぞれＲ１に対してパラ位である；
を有する異性体を主成分として含む、項目１〜９のいずれか１項に記載の化合物。
［１１］
式（ＩＩ）の化合物の両方のアミン官能基をジアゾ化して、計２当量の式（ＩＩＩ）の化合物とカップリングする、項目１〜１０のいずれか１項に記載の化合物の製造方法：
【化３４】
2017512227.tif 000010
【化３５】
2017512227.tif 000011
｛式中、Ｒ１〜Ｒ７は、項目１において定義されたとおりである。｝。
［１２］
項目１〜１０のいずれか１項に記載の化合物又は項目１１に記載の方法により得られた化合物の少なくとも１種を、微細デルニエ繊維材料又はマイクロファイバーでよい有機基材と接触させる工程を含む、前記有機基材の染色及び／又は印刷方法。
［１３］
吸着染色プロセス、又はパッド・スチームプロセスなどの連続染色プロセスである、項目１２に記載の染色方法。
［１４］
前記有機基材は、紙；天然及び合成ポリアミドを含むか、若しくは天然及び合成ポリアミドから成る繊維材料；ポリウレタン；又はそれらの混合物である、項目１２又は１３に記載の方法。
［１５］
下記式：
【化３６】
2017512227.tif 000012
の化合物を除くものとする一般式（ＩＩ）：
【化３７】
2017512227.tif 000013
｛式中、Ｒ１、Ｒ２及びＲ７は、項目１で定義された通りである。｝
の化合物。
【手続補正２】
【補正対象書類名】特許請求の範囲
【補正対象項目名】全文
【補正方法】変更
【補正の内容】
【特許請求の範囲】
【請求項１】
一般式（Ｉ）の化合物：
【化１】
2017512227.tif 000014
｛式中、
Ｒ１は、水素、無置換若しくは置換の直鎖若しくは分岐鎖Ｃ１−１２アルキル、無置換若しくは置換の直鎖若しくは分岐鎖Ｃ１−１２アルコキシ、無置換若しくは置換アリール又はハロゲンであり、
Ｒ２は、水素、又は無置換若しくは置換の直鎖若しくは分岐鎖Ｃ１−１２アルキルであり、
Ｒ３は、無置換若しくは置換の直鎖若しくは分岐鎖Ｃ１−１２アルキル、無置換若しくは置換の直鎖若しくは分岐鎖Ｃ１−１２アルコキシ、無置換若しくは置換アリール又はＮＲ８Ｒ９であり、
Ｒ４及びＲ５は、無置換若しくは置換の直鎖若しくは分岐鎖Ｃ１−１２アルキル、無置換若しくは置換の直鎖若しくは分岐鎖Ｃ１−１２アルケニル、無置換若しくは置換の直鎖若しくは分岐鎖Ｃ１−１２アルコキシ、無置換若しくは置換アリール、
【化２】
2017512227.tif 000015
又は
【化３】
2017512227.tif 000016
であり、
Ｒ６は、水素、無置換若しくは置換の直鎖若しくは分岐鎖Ｃ１−１２アルキル、又は無置換若しくは置換の直鎖若しくは分岐鎖Ｃ１−１２アルコキシであり、
Ｒ７は、水素、又は無置換若しくは置換の直鎖若しくは分岐鎖Ｃ１−１２アルキルであり、
Ｒ８及びＲ９は、独立に水素又はＲ４及びＲ５として定義され、かつ
式（Ｉ）の化合物においてＳＯ３Ｈ基は、遊離酸、塩又は混合塩であることができる。｝。
【請求項２】
前記置換アルキル、アルケニル、アルコキシ及びアリール基の置換基が、独立に、ハロゲン、−ＯＨ、−ＣＯＯＨ、−ＣＮ、−ＳＯ３Ｈ、アリール、アリールオキシ、−Ｏ（Ｃ１−４アルキル）、−Ｏ（Ｃ１−４アルコキシ）、−ＣＯ−Ｏ−Ｃ１−４アルキル、−Ｏ−ＣＯ−Ｃ１−４アルキル、−Ｏ−ＣＯ−アリール、−ＣＯ−（Ｏ−ＣＨ２−ＣＨ２）ｎ−Ｏ−Ｃ１−４アルキル｛式中、ｎは１〜１０である。｝、Ｃ１−４アルケニル、Ｃ１−４アルキニル、及び−ＮＲｘＲｙ｛式中、Ｒｘ及びＲｙは、独立に水素又はＣ１−４アルキルである。｝から成る群から選択される、請求項１に記載の化合物。
【請求項３】
複数の−ＳＯ３Ｈ基は、それぞれ複数のアゾ基に対してオルト位である、請求項１又は２に記載の化合物。
【請求項４】
Ｒ１は、水素、無置換若しくは置換の直鎖若しくは分岐鎖Ｃ１−６アルキル、無置換若しくは置換の直鎖若しくは分岐鎖Ｃ１−６アルコキシ又はハロゲンであり、
Ｒ２は、水素、又は無置換若しくは置換の直鎖若しくは分岐鎖Ｃ１−１２アルキルであり、
Ｒ３は、無置換若しくは置換の直鎖若しくは分岐鎖Ｃ１−１２アルキル、無置換若しくは置換の直鎖若しくは分岐鎖Ｃ１−１２アルコキシ、無置換若しくは置換アリール又はＮＨ２であり、
Ｒ４及びＲ５は、無置換若しくは置換の直鎖若しくは分岐鎖Ｃ１−１２アルキル、無置換若しくは置換の直鎖若しくは分岐鎖Ｃ１−１２アルケニル、無置換若しくは置換の直鎖若しくは分岐鎖Ｃ１−１２アルコキシ、無置換若しくは置換アリール、
【化４】
2017512227.tif 000017
又は
【化５】
2017512227.tif 000018
であり、
Ｒ６は、水素、無置換若しくは置換の直鎖若しくは分岐鎖Ｃ１−６アルキル、又は無置換若しくは置換の直鎖若しくは分岐鎖Ｃ１−６アルコキシであり、
Ｒ７は、水素、又は無置換若しくは置換の直鎖若しくは分岐鎖Ｃ１−６アルキルである、
請求項１〜３のいずれか１項に記載の化合物。
【請求項５】
Ｒ１は、水素、−ＣＨ３、−Ｃｌ又は−ＯＣＨ３であり、
Ｒ２は、水素又は−ＣＨ３であり、
Ｒ３は、−ＣＨ３、−ＣＨ２ＣＨ３、−ＣＨ２ＣＨ２ＣＨ３、−Ｃ６Ｈ５、−Ｃ６Ｈ４ＣＨ３、−ＣＨ２ＣＨ２Ｃｌ、
−ＣＨ２ＯＣＨ３、−ＣＨ２ＯＣＨ２ＣＨ３、−ＣＨ２ＯＨ、−ＣＨ２ＯＣ６Ｈ５、−ＯＣＨ３、−ＯＣＨ２ＣＨ３、
−ＯＣＨ２ＣＨ２ＣＨ３、−ＯＣＨ２ＣＨ２ＯＣＨ２ＣＨ３、−ＯＣＨ２ＣＨ２ＣＨ２ＣＨ２ＣＨ３、
−ＯＣＨ２ＣＨ（ＣＨ２ＣＨ３）ＣＨ２ＣＨ２ＣＨ２ＣＨ３、−ＯＣ１０Ｈ２１、−ＯＣ１２Ｈ２５又はＮＨ２であり、
Ｒ４及びＲ５は、−ＣＨ３、−ＣＨ２ＣＨ３、−ＣＨ２Ｃ６Ｈ５、−ＣＨ２ＣＨ２ＣＨ３、−ＣＨ２ＣＨ２ＣＨ２ＣＨ３、
−ＣＨ２ＣＨ２ＣＨ２ＣＨ２ＣＨ３、−ＣＨ２ＣＨ２ＣＨ２ＣＨ２ＣＨ２ＣＨ２ＣＨ３、ＣＨ２ＣＨ２ＯＨ、
−ＣＨ２ＣＨ（ＯＨ）ＣＨ２ＣＨ３、−ＣＨ２ＣＨ＝ＣＨ２、−ＣＨ２ＣＨ２Ｃ≡Ｎ、
−ＣＨ２ＣＨ２ＣＯＯＣＨ２ＣＨ２ＯＣＨ３、−ＣＨ２ＣＨ２ＣＯＯＣＨ３、
−ＣＨ２ＣＨ２ＯＣＨ２ＣＨ２ＯＣＨ３、−ＣＨ２ＣＨ２ＯＣＯＣＨ２ＣＨ３、−ＣＨ２ＣＨ２ＯＣＯＣ６Ｈ５、
−ＣＨ２ＣＨ２ＯＣＯＣＨ３、−ＣＨ２ＣＯＯＣＨ３、−ＣＨ２ＣＨ２ＣＨ２ＣＨ２ＣＨ２ＣＨ２ＣＨ３、
【化６】
2017512227.tif 000019
又は
【化７】
2017512227.tif 000020
であり、
Ｒ６は、水素、−ＣＨ３、−ＣＨ２ＣＨ３、−ＣＨ２ＣＨ２ＯＨ、−ＯＣＨ３、−ＯＣＨ２ＣＨ３又は−ＯＣＨ２Ｃ６Ｈ５であり、かつ
Ｒ７は、水素、−ＣＨ３又は−ＣＨ２ＣＨ３である、
請求項１〜４のいずれか１項に記載の化合物。
【請求項６】
Ｒ１は、水素、−ＣＨ３、−Ｃｌ又は−ＯＣＨ３であり、
Ｒ２は、水素又は−ＣＨ３であり、
Ｒ３は、−ＣＨ３、−ＣＨ２ＣＨ３、−ＣＨ２ＣＨ２ＣＨ３、−Ｃ６Ｈ５、−Ｃ６Ｈ４ＣＨ３、−ＣＨ２ＣＨ２Ｃｌ、
−ＣＨ２ＯＣＨ３、−ＣＨ２ＯＣＨ２ＣＨ３、−ＣＨ２ＯＨ、−ＣＨ２ＯＣ６Ｈ５、−ＯＣＨ３、−ＯＣＨ２ＣＨ３、
−ＯＣＨ２ＣＨ２ＣＨ３、−ＯＣＨ２ＣＨ２ＯＣＨ２ＣＨ３、−ＯＣＨ２ＣＨ２ＣＨ２ＣＨ２ＣＨ３、
−ＯＣＨ２ＣＨ（ＣＨ２ＣＨ３）ＣＨ２ＣＨ２ＣＨ２ＣＨ３、−ＯＣ１０Ｈ２１、−ＯＣ１２Ｈ２５又はＮＨ２であり、
Ｒ４及びＲ５は、−ＣＨ３、−ＣＨ２ＣＨ３、−ＣＨ２Ｃ６Ｈ５、−ＣＨ２ＣＨ２ＣＨ３、−ＣＨ２ＣＨ２ＣＨ２ＣＨ３、
−ＣＨ２ＣＨ２ＣＨ２ＣＨ２ＣＨ３、−ＣＨ２ＣＨ２ＣＨ２ＣＨ２ＣＨ２ＣＨ２ＣＨ３、ＣＨ２ＣＨ２ＯＨ、
−ＣＨ２ＣＨ（ＯＨ）ＣＨ２ＣＨ３、−ＣＨ２ＣＨ＝ＣＨ２、−ＣＨ２ＣＨ２Ｃ≡Ｎ、
−ＣＨ２ＣＨ２ＣＯＯＣＨ２ＣＨ２ＯＣＨ３、−ＣＨ２ＣＨ２ＣＯＯＣＨ３、
−ＣＨ２ＣＨ２ＯＣＨ２ＣＨ２ＯＣＨ３、−ＣＨ２ＣＨ２ＯＣＯＣＨ２ＣＨ３、−ＣＨ２ＣＨ２ＯＣＯＣ６Ｈ５、
−ＣＨ２ＣＨ２ＯＣＯＣＨ３、−ＣＨ２ＣＯＯＣＨ３、−ＣＨ２ＣＨ２ＣＨ２ＣＨ２ＣＨ２ＣＨ２ＣＨ３、
【化８】
2017512227.tif 000021
又は
【化９】
2017512227.tif 000022
であり、
Ｒ６は、水素、−ＣＨ３、−ＣＨ２ＣＨ３、−ＣＨ２ＣＨ２ＯＨ、−ＯＣＨ３、−ＯＣＨ２ＣＨ３又は−ＯＣＨ２Ｃ６Ｈ５であり、かつ
Ｒ７は、水素である、
請求項１〜５のいずれか１項に記載の化合物。
【請求項７】
Ｒ１は、水素、−ＣＨ３、−Ｃｌ又は−ＯＣＨ３であり、
Ｒ２は、水素であり、
Ｒ３は、Ｃ１−３アルキル又は−ＮＨ２であり、
Ｒ４及びＲ５は、無置換若しくは置換の直鎖Ｃ２−６アルキル又はベンジルであり、
Ｒ６は、水素、−ＣＨ３、−ＣＨ２ＣＨ３、−ＣＨ２ＣＨ２ＯＨ、−ＯＣＨ３、−ＯＣＨ２ＣＨ３又は−ＯＣＨ２Ｃ６Ｈ５であり、かつ
Ｒ７は、水素である、
請求項１〜６のいずれか１項に記載の化合物。
【請求項８】
Ｒ１は、水素、−ＣＨ３又は−Ｃｌであり、
Ｒ２は、水素であり、
Ｒ３は、−ＣＨ３、−ＣＨ２ＣＨ３又は−ＮＨ２であり、
Ｒ４及びＲ５は、無置換若しくは置換の直鎖Ｃ２−６アルキル又はベンジルであり、かつ
Ｒ６及びＲ７は、水素である、
請求項１〜７のいずれか１項に記載の化合物。
【請求項９】
Ｒ１及びＲ２は、水素であり、
Ｒ３は、−ＣＨ３であり、
Ｒ４及びＲ５は、無置換若しくは置換の直鎖Ｃ２−６アルキル又はベンジルであり、かつ
Ｒ６及びＲ７は、水素である、
請求項１〜８のいずれか１項に記載の化合物。
【請求項１０】
前記化合物は、２種以上の異性体の混合物の形態で存在し、かつ下記立体化学構造：
・複数の−ＳＯ３Ｈ基は、それぞれ複数のアゾ基に対してオルト位であるか；又は
・複数の−ＳＯ３Ｈ基は、それぞれ複数のアゾ基に対してオルト位であり、かつ複数の−ＳＯ３Ｈ基は、それぞれＲ１に対してパラ位であるか；又は
・複数の−ＳＯ３Ｈ基は、それぞれ複数のアゾ基に対してオルト位であり、かつＣＨＲ７基は、複数のアゾ基に対してパラ位であるか；又は
・複数の−ＳＯ３Ｈ基は、それぞれ複数のアゾ基に対してオルト位であり、ＣＨＲ７基は、複数のアゾ基に対してパラ位であり、かつ複数の−ＳＯ３Ｈ基は、それぞれＲ１に対してパラ位である；
を有する異性体を主成分として含む、請求項１〜９のいずれか１項に記載の化合物。
【請求項１１】
式（ＩＩ）の化合物の両方のアミン官能基をジアゾ化して、計２当量の式（ＩＩＩ）の化合物とカップリングし、かつ式（Ｉ）の化合物においてＳＯ３Ｈ基は、遊離酸、塩又は混合塩であることができる、請求項１〜１０のいずれか１項に記載の化合物の製造方法：
【化１０】
2017512227.tif 000023
【化１１】
2017512227.tif 000024
｛式中、Ｒ１〜Ｒ７は、請求項１において定義されたとおりである。｝。
【請求項１２】
請求項１〜１０のいずれか１項に記載の化合物又は請求項１１に記載の方法により得られた化合物の少なくとも１種を、微細デルニエ繊維材料又はマイクロファイバーでよい有機基材と接触させる工程を含む、前記有機基材の染色及び／又は印刷方法。
【請求項１３】
吸着染色プロセス、又はパッド・スチームプロセスなどの連続染色プロセスである、請求項１２に記載の染色方法。
【請求項１４】
前記有機基材は、紙；天然及び合成ポリアミドを含むか、若しくは天然及び合成ポリアミドから成る繊維材料；ポリウレタン；又はそれらの混合物である、請求項１２又は１３に記載の方法。
【請求項１５】
下記式：
【化１２】
2017512227.tif 000025
の化合物を除くものとする一般式（ＩＩ）：
【化１３】
2017512227.tif 000026
｛式中、Ｒ１、Ｒ２及びＲ７は、請求項１で定義された通りである。｝
の化合物。